(57)【要約】【課題】カップの種類を良好に判定すること。【解決手段】飲料供給部２２に配置されたカップＣに対して、飲料生成部１１で生成した飲料を供給する飲料供給装置であって、カップＣの所定の検出領域Ｍを加熱する加熱部２５と、加熱部２５による加熱が行われた検出領域Ｍの温度を検出する温度検出部２６と、温度検出部２６による検出結果からカップＣの種類を判定する制御部３０（判定処理部３０ａ）とを備えている。また加熱部２５は、検出領域Ｍに対して所定温度に管理された空気を送出することが好ましい。更に温度検出部２６は、検出領域Ｍの温度を非接触で検出することが好ましい。【選択図】図２
2020111379.tif 000002
【特許請求の範囲】
【請求項１】
飲料供給部に配置されたカップに対して、飲料生成部で生成した飲料を供給する飲料供給装置であって、
前記カップの所定の検出領域を加熱する加熱手段と、
前記加熱手段による加熱が行われた検出領域の温度を検出する温度検出手段と、
前記温度検出手段による検出結果から前記カップの種類を判定する判定手段と
を備えたことを特徴とする飲料供給装置。
【請求項２】
前記加熱手段は、前記検出領域に対して所定温度に管理された空気を送出することを特徴とする請求項１に記載の飲料供給装置。
【請求項３】
前記温度検出手段は、前記検出領域の温度を非接触で検出することを特徴とする請求項１又は請求項２に記載の飲料供給装置。
【発明の詳細な説明】
【技術分野】
【０００１】
本発明は、飲料供給装置に関し、より詳細には、例えばコンビニエンスストア等の店舗に設置されるコーヒーマシン等の飲料供給装置に関するものである。
【背景技術】
【０００２】
従来、例えばコンビニエンスストア等の店舗には、コーヒーマシン等の飲料供給装置が設置されている。飲料供給装置は、利用者により飲料が選択された場合に、例えばコーヒー豆挽き及びドリッピングの抽出処理等を行って飲料を生成し、飲料供給部に配置されたカップに対して飲料を供給するものである。
【０００３】
そのような飲料供給装置においては、飲料供給部にカップが配置されているか否かを検出し、カップを検出した場合にのみ飲料の供給を行うようにしたものが提案されている（例えば、特許文献１参照）。
【先行技術文献】
【特許文献】
【０００４】
【特許文献１】特開２００９−２７４７６７号公報
【発明の概要】
【発明が解決しようとする課題】
【０００５】
ところで、昨今の飲料供給装置では、供給する飲料の種類に応じて使用するカップの種類を変更するものがある。例えば、ホット飲料を供給する場合には、紙製のカップを用いるようにし、コールド飲料を供給する場合には、内部に氷が入れられた透明樹脂製のカップを用いるようにした飲料供給装置がある。
【０００６】
こうした飲料供給装置では、飲料供給部に配置されたカップの種類と、供給指示された飲料の種類とが適切な組み合わせでない場合、飲料の供給を実施しないように構成することが望ましい。つまり、飲料供給部に配置されたカップの種類を判定する機能を有していれば、誤って紙製のカップに対して、コールド飲料用に抽出された飲料が供給される事態を未然に防止することができるようになる。
【０００７】
本発明は、上記実情に鑑みて、カップの種類を良好に判定することができる飲料供給装置を提供することを目的とする。
【課題を解決するための手段】
【０００８】
上記目的を達成するために、本発明に係る飲料供給装置は、飲料供給部に配置されたカップに対して、飲料生成部で生成した飲料を供給する飲料供給装置であって、前記カップの所定の検出領域を加熱する加熱手段と、前記加熱手段による加熱が行われた検出領域の温度を検出する温度検出手段と、前記温度検出手段による検出結果から前記カップの種類を判定する判定手段とを備えたことを特徴とする。
【０００９】
また本発明は、上記飲料供給装置において、前記加熱手段は、前記検出領域に対して所定温度に管理された空気を送出することを特徴とする。
【００１０】
また本発明は、上記飲料供給装置において、前記温度検出手段は、前記検出領域の温度を非接触で検出することを特徴とする。
【発明の効果】
【００１１】
本発明においては、加熱手段がカップの所定の検出領域を加熱し、温度検出手段が加熱手段による加熱が行われた検出領域の温度を検出し、判定手段が温度検出手段による検出結果からカップの種類を判定している。このように検出領域を加熱することにより、カップがホット飲料専用の紙製のものであれば、容易に加熱される一方、カップがコールド飲料専用の透明樹脂製のものであれば、内部に氷が入れられているので、依然として検出領域は０℃付近の温度となり、カップの種類によって検出領域での温度差を大きくすることができる。よって、本発明によれば、カップの種類を良好に判定することができるという効果を奏する。
【図面の簡単な説明】
【００１２】
【図１】図１は、本発明の実施の形態である飲料供給装置の外観構成を示す斜視図である。
【図２】図２は、本発明の実施の形態である飲料供給装置の制御系を模式的に示すブロック図である。
【図３】図３は、図２に示した加熱部及び温度検出部の構成要素の配置例を示す模式図である。
【図４】図４は、図２に示した制御部が実施する飲料供給制御処理の処理内容を示すフローチャートである。
【図５】図５は、図４におけるカップの種類の判定処理の処理内容を示すフローチャートである。
【発明を実施するための形態】
【００１３】
以下に添付図面を参照して、本発明に係る飲料供給装置の好適な実施の形態について詳細に説明する。
【００１４】
図１及び図２は、それぞれ本発明の実施の形態である飲料供給装置を示すもので、図１は、外観構成を示す斜視図であり、図２は、制御系を模式的に示すブロック図である。
【００１５】
ここで例示する飲料供給装置は、例えばコンビニエンスストア等の店舗に設置されるコーヒーマシンであり、例えばコーヒー豆挽き及びドリッピングの抽出処理を行って、例えばカップＣにコーヒー等の飲料を供給するものである。このような飲料供給装置は、装置本体１を備えている。
【００１６】
ここでカップＣとしては、コールド飲料専用のものと、ホット飲料専用のものとがある。コールド飲料専用のカップＣは、無色で透明な透明樹脂製のものであり、飲料が供給される以前の状態で予め内部に氷が入ったものである。このコールド飲料専用のカップＣは、内部の氷が融解しないように冷凍庫の内部で冷凍保管されている。ホット飲料専用のカップＣは、白色で不透明な紙製のものであり、コールド飲料専用のカップＣと略同じ形状、略同じ大きさに形成されている。このホット飲料専用のカップＣは、内部が空の状態で常温保管されている。
【００１７】
装置本体１は、本体キャビネット１０及び前面扉２０を備えている。本体キャビネット１０は、前面が開口した略直方状の形態を成すものである。この本体キャビネット１０の内部には、飲料（例えばコーヒー）を生成する飲料生成部１１が設けてある。
【００１８】
前面扉２０は、本体キャビネット１０の前面の開口を閉塞するのに十分な大きさを有する扉体である。この前面扉２０は、本体キャビネット１０の前方側一側縁部において、上下方向に沿って延在する図示せぬ軸部の中心軸回りに揺動可能に設けてあり、本体キャビネット１０の前面の開口を開閉することが可能である。
【００１９】
かかる前面扉２０は、前面が接客面を構成しており、表示部２１、飲料供給部２２、開閉扉２３が設けてある。表示部２１は、例えば液晶タッチパネルで構成してあり、各種情報を表示するとともに、タッチ操作等の入力操作が可能な入力部２１ａを有している。
【００２０】
飲料供給部２２は、表示部２１の下方側に設けてあり、ノズル２２ａとステージ２２ｂとを有している。ノズル２２ａは、飲料生成部１１で生成された飲料を下方に向けて吐出するものである。ステージ２２ｂは、ノズル２２ａの下方域に設けてある。このステージ２２ｂは、カップＣを載置させるものであり、円弧状のストッパ２２ｃが設けてある。
【００２１】
開閉扉２３は、例えば透明な樹脂等の透光性材料により構成されるものであり、飲料供給部２２の入口２２ｄを覆うのに十分な大きさを有している。この開閉扉２３は、左側端部が前面扉２０に軸支されており、前後方向に沿って揺動可能なものである。つまり、開閉扉２３は、飲料供給部２２に近接離反する態様で前後方向に沿って揺動可能であり、飲料供給部２２に近接する態様で後方に揺動する場合に飲料供給部２２の入口２２ｄを閉成させることが可能であり、飲料供給部２２から離隔する態様で前方に揺動する場合に入口２２ｄを開成させることが可能である。
【００２２】
図２に示すように、飲料供給装置は、カップ検出部２４、加熱部（加熱手段）２５、温度検出部（温度検出手段）２６、扉開閉検知部２７、扉開閉ロック機構２８及び制御部３０を備えている。
【００２３】
カップ検出部２４は、例えば光センサ等により構成されるもので、飲料供給部２２におけるカップＣの配置の有無、すなわちステージ２２ｂにカップＣが載置されたか否かを検出するものである。かかるカップ検出部２４は、カップＣの有無の検出結果を制御部３０に与えるものである。
【００２４】
加熱部２５は、図３に示すように、飲料供給部２２の背面部２２ｅに配置されており、所定温度（例えば４０〜６０℃、好ましくは５０℃程度）に管理された空気を、カップＣの所定の検出領域Ｍに所定時間（例えば５秒間程度）送出して、該検出領域Ｍを加熱するものである。
【００２５】
温度検出部２６は、加熱部２５と同様に、背面部２２ｅに配置されており、カップＣの検出領域Ｍの温度を非接触で検出するものである。この温度検出部２６は、検出した温度情報を制御部３０に出力するものである。
【００２６】
扉開閉検知部２７は、飲料供給部２２の入口２２ｄの近傍に設けてあり、例えば光センサ等で構成されるものである。この扉開閉検知部２７は、開閉扉２３による入口２２ｄの開閉を検知するものであり、より詳細には、入口２２ｄが閉成、すなわち開閉扉２３が閉となるか否かを検知するものである。かかる扉開閉検知部２７は、開閉扉２３が閉となるか否かの検知結果を制御部３０に与えるものである。
【００２７】
扉開閉ロック機構２８は、飲料供給部２２の入口２２ｄの近傍に設けてある。この扉開閉ロック機構２８は、入口２２ｄを閉成する開閉扉２３が閉となる状態を保持させて該開閉扉２３が前方に向けて揺動することを規制するロック状態と、該開閉扉２３が前方に向けて揺動することを許容する解除状態との間で択一的に切替可能なものである。かかる扉開閉ロック機構２８の切り替えは、制御部３０から与えられる指令に応じて行われる。
【００２８】
制御部３０は、上述した飲料生成部１１、表示部２１、カップ検出部２４、加熱部２５、温度検出部２６、扉開閉検知部２７、扉開閉ロック機構２８に電気的に接続してあり、同じく電気的に接続された記憶部３１に記憶されたプログラムやデータにしたがって、これら各部の動作を統括的に制御するものである。この制御部３０は、後述するカップ種類判定処理を実施する判定処理部（判定手段）３０ａを有している。
【００２９】
尚、制御部３０は、例えば、ＣＰＵ（Ｃｅｎｔｒａｌ  Ｐｒｏｃｅｓｓｉｎｇ  Ｕｎｉｔ）等の処理装置にプログラムを実行させること、すなわち、ソフトウェアにより実現してもよいし、ＩＣ（Ｉｎｔｅｇｒａｔｅｄ  Ｃｉｒｃｕｉｔ）等のハードウェアにより実現してもよいし、ソフトウェア及びハードウェアを併用して実現してもよい。
【００３０】
図４は、図２に示した制御部３０が実施する飲料供給制御処理の処理内容を示すフローチャートである。かかる飲料供給制御処理の処理内容を説明しながら飲料供給装置の動作について説明する。
【００３１】
この飲料供給制御処理において制御部３０は、カップ検出部２４が、カップＣが飲料供給部２２に有ると検出したか否かを判断する（ステップＳ１１０）。すなわち、カップ検出部２４は、カップＣがステージ２２ｂに載置されたか否かを検出する。
【００３２】
カップＣが有ると検出された場合（ステップＳ１１０：Ｙｅｓ）、制御部３０は、判定処理部３０ａを通じてカップ種類判定処理を実施する（ステップＳ１２０）。一方、カップＣが有ると検出されない場合（ステップＳ１１０：Ｎｏ）には、制御部３０は、ステップＳ１１０の判断処理を繰り返す。
【００３３】
図５は、図４におけるカップ種類判定処理の処理内容を示すフローチャートである。このカップ種類判定処理において制御部３０の判定処理部３０ａは、温度検出部２６がカップＣの検出領域Ｍの温度を検出したか否かを判断する（ステップＳ１２１）。
【００３４】
検出領域Ｍの温度を検出した場合（ステップＳ１２１：Ｙｅｓ）、制御部３０の判定処理部３０ａは、検出温度が基準温度（例えば５℃程度）未満であるか否かを判断する（ステップＳ１２２）。一方、検出領域Ｍの温度が検出されない場合（ステップＳ１２１：Ｎｏ）には、制御部３０は、ステップＳ１２１の判断処理を繰り返す。
【００３５】
判定処理部３０ａは、検出温度が基準温度未満でないと判断した場合（ステップＳ１２２：Ｎｏ）、すなわち検出温度が基準温度以上である場合、飲料供給部２２のカップＣがホット飲料専用の紙製のものと判定し（ステップＳ１２３）、その後に手順をリターンして今回のカップ種類判定処理を終了する。
【００３６】
尚、検出温度が基準温度以上である場合に、当該カップＣがホット飲料専用の紙製のものと判定するのは、コールド飲料専用のカップＣは、内部に氷が入れられているので、表面の検出領域Ｍが基準温度以上になることが考えられないからである。
【００３７】
判定処理部３０ａは、検出温度が基準温度未満であると判断した場合（ステップＳ１２２：Ｙｅｓ）、加熱部２５を駆動させる（ステップＳ１２４）。これにより、加熱部２５より所定温度に管理された空気を検出領域Ｍに送出する。このように加熱部２５を駆動させた判定処理部３０ａは、所定時間（例えば５秒間）の経過待ちとなり（ステップＳ１２５）、所定時間が経過した場合（ステップＳ１２５：Ｙｅｓ）、加熱部２５を駆動停止にさせる（ステップＳ１２６）。
【００３８】
そして、判定処理部３０ａは、温度検出部２６がカップＣの検出領域Ｍの温度を検出したか否かを判断する（ステップＳ１２７）。検出領域Ｍの温度を検出した場合（ステップＳ１２７：Ｙｅｓ）、制御部３０の判定処理部３０ａは、検出温度が基準温度（例えば５℃程度）未満であるか否かを判断する（ステップＳ１２８）。一方、検出領域Ｍの温度が検出されない場合（ステップＳ１２７：Ｎｏ）には、制御部３０は、ステップＳ１２７の判断処理を繰り返す。
【００３９】
判定処理部３０ａは、検出温度が基準温度未満でないと判断した場合（ステップＳ１２８：Ｎｏ）、すなわち検出温度が基準温度以上である場合、飲料供給部２２のカップＣがホット飲料専用の紙製のものと判定し（ステップＳ１２３）、その後に手順をリターンして今回のカップ種類判定処理を終了する。
【００４０】
一方、判定処理部３０ａは、検出温度が基準温度未満であると判断した場合（ステップＳ１２８：Ｙｅｓ）、飲料供給部２２のカップＣがコールド飲料専用の透明樹脂製のものと判定し（ステップＳ１２９）、その後に手順をリターンして今回のカップ種類判定処理を終了する。
【００４１】
そのようにしてカップ種類判定処理を実施した制御部３０は、扉開閉検知部２７の検知結果をもとに、開閉扉２３が閉であるか否かを判断する（ステップＳ１３０）。開閉扉２３が閉でない場合（ステップＳ１３０：Ｎｏ）には、ステップＳ１３０の判断処理を繰り返す。一方、制御部３０は、開閉扉２３が閉である場合（ステップＳ１３０：Ｙｅｓ）には、扉開閉ロック機構２８を用いて開閉扉２３を閉状態にロックする（ステップＳ１４０）。
【００４２】
そして制御部３０は、表示部２１に対して、上述したステップＳ１２０で判定した種類のカップＣに対応した飲料、すなわち供給すべき飲料（コールド飲料又はホット飲料）の表示と、確認の文言が表示された入力部２１ａのタッチを案内する案内表示を行う（ステップＳ１５０）。
【００４３】
その後、制御部３０は、入力部２１ａがタッチされたか否かを判断する（ステップＳ１６０）。入力部２１ａがタッチされない場合（ステップＳ１６０：Ｎｏ）、制御部３０は、ステップＳ１６０の判断処理を繰り返す。一方、入力部２１ａがタッチされた場合（ステップＳ１６０：Ｙｅｓ）、制御部３０は、飲料生成部１１に対して、供給する飲料の生成及び供給の処理を行わせる（ステップＳ１７０）。
【００４４】
その後、制御部３０は、飲料生成部１１による飲料供給が終了したか否かを判断する（ステップＳ１８０）。飲料供給が終了していない場合（ステップＳ１８０：Ｎｏ）には、制御部３０は、ステップＳ１７０に戻って飲料の生成及び供給の処理を続行する。一方、飲料供給が終了した場合（ステップＳ１８０：Ｙｅｓ）には、制御部３０は、扉開閉ロック機構２８による開閉扉２３の閉状態のロックを解除し（ステップＳ１９０）、その後に手順をリターンして今回の処理を終了する。
【００４５】
以上説明したように、上記飲料供給装置においては、加熱部２５がカップＣの検出領域Ｍを加熱し、温度検出部２６が加熱部２５による加熱が行われた検出領域Ｍの温度を検出し、制御部３０の判定処理部３０ａが温度検出部２６による検出結果からカップＣの種類を判定している。このように検出領域Ｍを加熱することにより、カップＣがホット飲料専用の紙製のものであれば、容易に加熱される。その一方、カップＣがコールド飲料専用の透明樹脂製のものであれば、内部に氷が入れられているので、依然として検出領域Ｍは０℃付近の温度となり、カップＣの種類によって検出領域Ｍでの温度差を大きくすることができる。よって、飲料供給部２２の周辺における雰囲気の温度が例えば０℃程度であっても、カップＣの種類（ホット飲料専用のものであるかコールド飲料専用のものであるか）を良好に判定することができる。
【００４６】
また飲料供給装置によれば、カップ検出部２４によりカップＣが飲料供給部２２に有ると判断されてからカップＣの種類を判定しているので、判定を行うタイミングが一義的に決められており、誤判定防止を図ることができる。
【００４７】
しかも、開閉扉２３が閉となる前、すなわち飲料供給部２２の入口２２ｄが閉成される前にカップＣの種類の判定を実施しており、飲料の供給に要する時間の短縮化を図ることができる。
【００４８】
上記飲料供給装置によれば、飲料生成部１１による飲料の供給が行われている間は、開閉扉２３をロックしているので、利用者が火傷等してしまうことを防止することができる。
【００４９】
以上、本発明の好適な実施の形態について説明したが、本発明はこれに限定されるものではなく、種々の変更を行うことができる。
【００５０】
上述した実施の形態では、加熱部２５は、所定温度（例えば４０〜６０℃、好ましくは５０℃程度）に管理された空気を、カップＣの検出領域Ｍに所定時間（例えば５秒間程度）送出して、該検出領域Ｍを加熱するものであったが、本発明においては、加熱手段は、赤外線をカップの検出領域に照射して加熱するものであってもよい。また加熱手段は、飲料生成部を構成する湯タンク、すなわち湯を生成して貯留するタンクで生じた蒸気をカップの検出領域に送出して加熱するものであってもよい。
【符号の説明】
【００５１】
１  装置本体
１０  本体キャビネット
１１  飲料生成部
２０  前面扉
２１  表示部
２２  飲料供給部
２２ａ  ノズル
２２ｂ  ステージ
２２ｃ  ストッパ
２２ｄ  入口
２３  開閉扉
２４  カップ検出部
２５  加熱部
２６  温度検出部
２７  扉開閉検知部
２８  扉開閉ロック機構
３０  制御部
３０ａ  判定処理部
３１  記憶部
Ｃ  カップ
Ｍ  検出領域
【図１】
2020111379.tif 000003
【図２】
2020111379.tif 000004
【図３】
2020111379.tif 000005
【図４】
2020111379.tif 000006
【図５】
2020111379.tif 000007